(57)【特許請求の範囲】
【請求項１】
フレーム（３）と、２つのレンズ（１、２）であってメガネ装着者の各眼球（１００、２００）の前に位置するように前記フレームに保持されてそれにより各レンズを通じてメガネ装着者に２つの別々の視覚をもたらす２つのレンズ（１、２）と、を備える眼科用メガネであって、
各レンズが、
−照射線源であって、その照射線は装着者の各眼球の強膜（Ｓ）と虹彩（Ｉ）との相違する反射強度係数にしたがって当該強膜（Ｓ）と虹彩（Ｉ）とで反射するように選択されている、少なくとも１つの照射線源と、
−前記照射線源で発生した照射線の一部の強度のそれぞれを測定するように構成された検出器であって、該照射線の一部は、前記レンズの後方に位置する眼球の強膜および虹彩の間の境界（Ｌ）の右側部分または左側部分が眼球運動時に動き回る眼域（ＺＤ１、ＺＧ１、ＺＤ２、ＺＧ２）でそれぞれ反射されるものである、少なくとも１つの検出器と、
−前記レンズ内に配置された照射線出力部もしくは入力部であって、各出力部（１０、１２、２０、２２）は前記照射線源で発生した前記照射線の一部を前記眼域の少なくとも１つに向けて照射するように構成され、各入力部（１１、１３、２１、２３）は前記眼域の１つで反射された前記照射線の一部を集光するように構成されている、少なくとも４つの照射線出力部もしくは入力部と、
を備え、
眼球の強膜と虹彩の間にある境界の右側部分または左側部分が動き回る前記眼域のうち１つにおいて各経路がレンズの後方に位置するメガネ装着者の眼球上の反射を含む、４つの照射線経路が形成され、
前記眼科用メガネが、さらに、
前記少なくとも１つの照射線源と前記少なくとも１つの検出器との間で送られる照射線の一部を別々の各照射線経路によって分離する手段と、
前記２つのレンズについて同時に測定される強度の関数として、共通の観察点（Ｃ）でのメガネ装着者の眼球の輻輳を特性決定するように適合された計算ユニットと、
を備え、
各レンズ（１、２）に関して、
前記少なくとも１つの照射線源、
前記少なくとも１つの検出器、および、
前記少なくとも４つの照射線出力部（１０、１２、２０、２２）もしくは入力部（１１、１３、２１、２３）は、
明確に区別可能な照射線の経路の対を少なくとも２つの形成するように構成されており、第１の照射線出力部（１０、１２）の２つが同一の第１の仰角（α１）で各レンズ内に構成されるとともに、第２の照射線出力部（２０、２２）の２つは前記第１の仰角と異なる第２の仰角（α２）で各レンズ内に構成され、
これにより、各対の各経路関してレンズの後方に位置するメガネ装着者の眼球の強膜と虹彩の間の境界（Ｌ）の右側部分および左側部分の前記眼域（ＺＤ１、ＺＧ１、ＺＤ２、ＺＧ２）が、同一の眼域仰角（α１、α２）であって前記対に関連付けられた眼域仰角（α１、α２）に位置し、また、２つの前記経路の対が、区別可能で前記２つのレンズに共通な仰角に関連付けられ、
前記計算ユニットは、前記２つのレンズについて、前記計算ユニットによって選択されるとともに同じ眼域仰角に関連付けられた各経路で送られた照射線の一部について同時に測定した強度の関数としてメガネ装着者の眼球の輻輳を特性決定するように適合されている、眼科用メガネ。
【請求項２】
前記計算ユニットが、
測定された前記強度のうちの少なくとも幾つかの信号対雑音比の値の関数としてメガネ装着者の眼球の輻輳を特性決定するために、前記眼域（ＺＤ１、ＺＧ１、ＺＤ２、ＺＧ２）の前記仰角（α１、α２）のうちの１つを選択するように適合されている、請求項１に記載のメガネ。
【請求項３】
前記計算ユニットは、
眼球の前に位置している前記レンズ（１、２）に関して、および眼球の強膜と虹彩の間の境界（Ｌ）の右および左側部分が動き回る前記眼域（ＺＤ１、ＺＧ１、ＺＤ２、ＺＧ２）の幾つかで反射した照射線の一部に関して、同時に測定された強度から、先ず、各眼球（１００、２００）の光軸（Ｄ１、Ｄ２）の角度位置を決定するように適合され、
次いで、同じ瞬間的な時点について決定された両眼の光軸の各角度位置に基づいて、メガネ装着者の眼球の輻輳を決定するようにさらに適合されている、請求項１または２に記載のメガネ。
【請求項４】
各レンズに関し、照射線入力部（１１、１３、２１、２３）と同数の照射線出力部（１０、１２、２０、２２）を有しており、
各出力部は、前記レンズにおいて、前記入力部のうちの１つに隣接して別々の照射線照射受光対を形成しており、
各照射受光対は、レンズの後方に位置するメガネ装着者の眼球の強膜（Ｓ）と虹彩（Ｉ）の間の境界（Ｌ）の右および左側部分のうちの一方が眼球運動時に動き回る前記眼域（ＺＤ１、ＺＧ１、ＺＤ２、ＺＧ２）のうち１つの前に配置される、
請求項１〜３のいずれか一項に記載のメガネ。
【請求項５】
各レンズ（１、２）に関し、前記照射線出力部が、レンズの右および左側部分にそれぞれ位置している２つの列の形態で構成されており、
レンズの右側部分に位置している前記列の各出力部（１０１、．．．、１０ｎ）は、眼球の強膜（Ｓ）と虹彩（Ｉ）の間の境界（Ｌ）の右側部分が動き回る前記眼域内でメガネ装着者の眼球（１００）上の反射を含む照射線経路に属しており、
レンズの左側部分に位置している前記列の各出力部（１２１、．．．、１２ｎ）は、前記眼球の前記強膜と前記虹彩との間の前記境界の前記左側部分が動き回る前記眼域内でメガネ装着者の眼球上の反射を含む照射線経路に属している、請求項１〜４のいずれか一項に記載のメガネ。
【請求項６】
前記少なくとも１つの照射線源、出力部、少なくとも１つの入力部、および、レンズのうちの少なくとも１つに関連付けられている前記少なくとも１つの検出器は、
少なくとも２つの異なる照射線経路が、異なる出力部（３０、３２、４０、４２）を横断して各経路に共通の同一の入力部（３１）に到達するように構成され、
照射線経路の関数として照射線の一部を分離する前記手段は、前記異なる経路で送られる照射線に適用される異なる変調にしたがって前記少なくとも１つの検出器によって行われる前記測定を同期するように適合されている、請求項１〜４のいずれか一項に記載のメガネ。
【請求項７】
各照射線源および各検出器が、対応のレンズ内に一体化された、半導体材料に基づくマイクロオプトエレクトロニクス部品であり、
前記レンズは、さらに、各検出器および各照射線源の端子を前記計算ユニットに電気的に接続する、該レンズの周辺部内に放射状に構成された透明導電性ストリップ（４０〜４８）を有している、請求項１〜６のいずれか一項に記載のメガネ。
【請求項８】
各照射線源は、対応のレンズの外部に配置され、第１の光学ガイド（５０、５２、６０、６２）によって前記出力部（１０、１２、２０、２２）の１つに光学的に結合され、
各検出器は、対応のレンズの外部に配置され、第２の光学ガイド（５１、５３、６１、６３）によって前記入力部（１１、１３、２１、２３）の１つに光学的に結合される、
請求項１〜６のいずれか一項に記載のメガネ。
【請求項９】
さらに、
各レンズ（１、２）用に、眼球（１００、２００）の一部の像をレンズの外部に形成する光学ガイド（７０）を備え、
前記検出器は、眼球の強膜（Ｓ）と虹彩（Ｉ）の間の境界（Ｌ）の撮像された右および左側部分が眼球運動時に動き回る撮像領域内に分布されている、
請求項１〜６のいずれか一項に記載のメガネ。
【請求項１０】
さらに、
前記計算ユニットによって特性決定されるメガネ装着者の眼球の前記輻輳の結果に応じて前記レンズのうちの少なくとも１つの特性を変化させる手段を備えている、
請求項１〜９のいずれか一項に記載のメガネ。
【請求項１１】
メガネのレンズ（１、２）であって、
−各レンズ内に一体化された照射線源（１０、１２、２０、２２）であって、装着者の各眼球の強膜（Ｓ）と虹彩（Ｉ）の相違する反射強度係数にしたがって、そのレンズのメガネ装着者の眼球（１００、２００）の強膜（Ｓ）または虹彩（Ｉ）で反射するようにその照射線が選択されている、少なくとも１つの照射線源（１０、１２、２０、２２）と、
−照射線検出器（１１、１３、２１、２３）であって、各検出器はレンズ内に一体化されるとともに、前記照射線源のうちの１つで発生し、眼球の強膜と虹彩の間の境界（Ｌ）の右または左側部分が眼球運動時に動き回る眼域（ＺＤ１、ＺＧ１、ＺＤ２、ＺＧ２）内で前記眼球で反射する前記照射線の一部の強度を測定するように構成されている、少なくとも１つの検出器（１１、１３、２１、２３）と、
−各検出器および各照射線源の端子を電気的に接続する、前記レンズの周辺部内に放射状に構成された、前記レンズと一体化された透明導電性ストリップ（４０〜４８）と、
−前記レンズ内に構成された照射線出力もしくは入力部であって、各出力部（１０、１２、２０、２２）は前記照射線源で発生した照射線の一部を前記眼域のうちの少なくとも１つに向けて照射するように構成され、各入力部（１１、１３、２１、２３）は前記眼域のうちの１つで反射された照射線の一部を集光するように構成されている、少なくとも４つの照射線出力部もしくは入力部と、
を備え、
レンズの後方に位置するメガネ装着者の眼球上の反射をそれぞれ含む少なくとも２つの照射線経路が、眼球の強膜および虹彩の間の前記境界の、それぞれ前記経路に対する、右および左側部分が動き回る眼域のうちの１つに形成され、
２つの第１の照射線出力部（１０、１２）が同じ第１の仰角（α１）でレンズ内に構成され、
２つの第２の照射線出力部（２０、２２）が前記第１の仰角と異なる同じ第２の仰角（α２）で前記レンズに構成されている、
メガネレンズ（１、２）。
【請求項１２】
検出器（１１、１３、２１、２３）と同数の照射線源（１０、１２、２０、２２）を備え、
各照射線源は、前記レンズにおいて、前記検出器のうちの１つに隣接して別々の照射線照射受光対を形成し、
各照射受光対は、メガネ装着者の眼球の強膜（Ｓ）と虹彩（Ｉ）の間の境界（Ｌ）の右および左側部分のうちの１つが眼球運動時に動き回る前記眼域（ＺＤ１、ＺＧ１、ＺＤ２、ＺＧ２）のうちの１つの前に構成される、
請求項１１に記載のメガネレンズ。
【請求項１３】
前記照射線源は、レンズの右および左側部分にそれぞれ位置している２つの列の形態で構成され、
レンズ（１）の右側部分に位置している前記列の各照射線源（１０１、．．．、１０ｎ）は、眼球の強膜（Ｓ）と虹彩（Ｉ）の間の境界（Ｌ）の右側部分が動き回る前記眼域内で、メガネ装着者の眼球（１００）上の反射を含む照射線経路に属し、
レンズの左側部分に位置している前記列の各照射線源（１２１、．．．、１２ｎ）は、眼球の強膜および虹彩の間の前記境界の左側部分が動き回る前記眼域内で、メガネ装着者の眼球上の反射を含む照射線経路に属している、
請求項１１または１２に記載のメガネレンズ。
【請求項１４】
各照射線源（１０、１２、２０、２２）は９００ｎｍ〜１２００ｎｍの間の波長で動作する発光ダイオードである、請求項１１〜１３のいずれか一項に記載のメガネレンズ。
【請求項１５】
各検出器（１１、１３、２１、２３）は、フォトダイオードまたはフォトトランジスタである、請求項１１〜１４のいずれか一項に記載のメガネレンズ。
【請求項１６】
さらに、レンズの基部（５０）およびレンズの封入部（５１）を備え、前記基部および封入部は一体として取り付けられ、
レンズの各照射線源（１０、１２、２０、２２）、各検出器（１１、１３、２１、２３）、および各導電性ストリップ（４０〜４８）が、前記基部と封入部との間に構成されている、請求項１１〜１５のいずれか一項に記載のメガネレンズ。
【請求項１７】
さらに、前記レンズの特性を変化させる手段を備えている、請求項１１〜１６のいずれか一項に記載のメガネレンズ。
【発明の詳細な説明】
【技術分野】
【０００１】
本発明は、メガネ装着者の眼球の輻輳を特性決定するように適合された眼科用メガネに関する。本発明はこのようなメガネのレンズにも関する。
【背景技術】
【０００２】
被験者の眼球運動をリアルタイムで検出するための既存システムは多数ある。例えば、米国特許第５，９６６，１９７号では、レーザーアブレーション眼球外科手術用のシステムについて説明しており、このシステムは患者の眼球運動を検出して補正する。このシステムは、眼球の像を形成し、像内の縁部の位置を識別することでソケット内の回転位置を追跡する。縁部は、眼球の強膜と虹彩の間の境界であり、９００ｎｍ〜１２００ｎｍの波長の近赤外線により、眼球の像内で容易に検出できる。強膜はこのスペクトル領域内で約９０％と高い光反射率を有しているが、虹彩は約４０％と低い反射率を有している。
【０００３】
眼球運動を検出するための他のシステムも存在しており、これは覚醒状態の患者による使用を対象としている。これらの他のシステムのうちの幾つかは、被験者の頭部に載せるデバイスからなり、被験者が自分の環境内で物体を見ている間に両目の像を形成する。これらのデバイスのうちの１つを装着している被験者はそのまま動き回れることができるが、これらのデバイスは日常生活では使用可能なものでなく、被験者の測定データが収集されるセッションでの使用に限定される。
【０００４】
ある用途では、モバイルユースと両立する眼球運動検出システムが必要とされる。したがって、軽量でしかも見栄えがよく、日常生活で長時間使用しても被験者に不快な思いをさせない眼球運動検出システムが必要である。さらに、このようなシステムは、多くの人々に装着してもらうために安価であるのが好ましい。現状では、満足のゆく形でこれらの要件を満たすそのような眼球運動検出システムは存在していない。
【発明の概要】
【発明が解決しようとする課題】
【０００５】
本発明の一目的は、日常生活におけるモバイルユースと両立する眼球運動検出システムを実現することである。
【０００６】
本発明の別の目的は、眼球運動検出システムの使用者によって観察される物体の方向のリアルタイムの特性決定を行えるようにすることである。
【０００７】
本発明のさらに別の目的は、使用者の眼球の輻輳、およびこの輻輳の変動を決定する使用者の眼球運動の特定決定を行えるようにすることである。
【課題を解決するための手段】
【０００８】
この目的を達成するために、本発明では、１つのフレームとそのフレーム内に保持されている２つのレンズを、これらがメガネ装着者の眼球の前にそれぞれ位置しているように備え、それぞれのレンズを通してメガネ装着者に別々の視覚がもたらされるようにする、眼科用メガネを提案し、前記メガネは、それぞれのレンズについて、
−少なくとも１つの照射線源であって、照射線がメガネ装着者のそれぞれの眼球の強膜と虹彩によってその強膜と虹彩に対する異なった反射強度係数にそれぞれしたがって反射されるように選択されている、赤外線照射でもよい、少なくとも１つの照射線源と、
−レンズの背後に位置している眼球の強膜と虹彩の間の境界の右または左側部分が眼球運動時に眼域内のそれぞれにおいて動き回る眼域内でそれぞれ反射される、照射線源が発生した照射線の一部の各強度を測定するように構成されている、少なくとも１つの検出器と、
−レンズ内に構成されている少なくとも４つの照射線出力部もしくは入力部であって、それぞれの出力部は照射線源から発生した照射線の一部を、強膜と虹彩の間の境界の右および左側部分が動き回る眼域のうちの少なくとも１つの方に向けて照射するように構成され、それぞれの入力部はこれらの眼域のうちの１つの内部で反射された照射線の一部を集光するように構成されている、少なくとも４つの照射線出力部もしくは入力部とを備えている。
【０００９】
本発明の第１の特徴では、これらの照射線源（複数可）、検出器（複数可）、ならびに照射線出力部および入力部は、レンズの背後に位置しているメガネ装着者の眼球上の反射をそれぞれ含む少なくとも４つの照射線経路を眼球の強膜と虹彩の間の境界の、各経路に対する、右および左側部分が動き回るこれらの眼域のうちの１つの内部に形成するようにさらに構成される。次いで、このメガネは、前記少なくとも１つの照射線源と前記少なくとも１つの検出器との間で送られる照射線の一部を異なる各照射線経路で分離するための手段を備えている。
【００１０】
本発明の第２の特徴では、このメガネは、これら２つのレンズについて同時に測定される強度に応じて（強度の関数として）、共通観察点にあるメガネ装着者の眼球の輻輳を特性決定する（特徴付ける）ように適合された計算ユニットもさらに備えている。
【００１１】
本発明の第３の特徴では、前記少なくとも１つの照射線源、前記少なくとも１つの検出器、ならびに前記少なくとも４つの照射線出力および入力領域は、照射線に対する明確に区別可能な経路の少なくとも２つの対を形成する形で構成され、２つの第１の照射線出力部はそれぞれのレンズ内に同じ第１の仰角で構成され、２つの第２の照射線出力部はそれぞれのレンズ内に第１の仰角と異なる、同じ第２の仰角で構成される。さらに、これらは、眼域がレンズの背後に位置しているメガネ装着者の眼球の強膜と虹彩の間の境界の、それぞれの対の各経路に対する、右および左側部分がこの対に関連付けられている同じ眼域仰角に位置しているように、また明確に区別でき、これら２つのレンズに共通である各眼域の仰角に経路の２つの対が関連付けられるように構成される。次いで、計算ユニットは、同じ眼域仰角に関連付けられている経路によって送られる照射線の一部分に対して同時に測定される強度に応じてメガネ装着者の眼球の輻輳を特性決定するように適合され、この仰角は２つのレンズについて計算ユニットによって選択される。
【００１２】
このようにして、本発明では、レンズ内に一体化されている照射線入力部および出力部を備えている、メガネの形態をとる、被験者の眼球運動を検出するためのシステムを実現する。このシステムはメガネの形態をとることから、軽量でありしかも非常にコンパクトである。これは、使用者があちこち動き回っていても日常生活で使用することができる。特に、本発明のメガネ装着者は、運動の完全な自由を維持する。
【００１３】
さらに、照射線入力部および出力部がそれぞれのレンズ内に一体化されていれば、メガネは、メガネのレンズに加えてメガネ装着者の顔の前に位置しているメガネ装着者の眼球に向けたどのような補助反射体または像収集システムも備えずに済む。したがって、本発明の眼球運動検出システムは、メガネ装着者の顔にあって見栄えよく、視覚的不快感をもたらさない。
【００１４】
さらに、本発明のメガネを使用したときに生じる眼球運動の検出は、それぞれの眼球の縁部の右および左側部分の位置の検出結果に基づいている。このために、少なくとも４つの照射線ビームがそれぞれのレンズからメガネ装着者の対応する眼球の縁部の右および左側部分の運動の領域の方へ向けて照射され、これらのビームの各強度は、これらの領域内のそれぞれの眼球上でビームが反射した後に測定される。それぞれのビームは、異なる照射線経路を有する。その強度は、反射した後、レンズのこれらの入力部のうちの１つを通って戻るときに、それぞれのビームが眼球の表面上の強膜または虹彩に到達するかどうかに応じて多かれ少なかれ反射されるため、眼球の回転位置に応じて変化する。次いで、メガネ装着者が所定の瞬間において注目している地点の方へのメガネ装着者の眼球の輻輳が、両眼の縁部の一部の間の比較結果から判定される。この方法で、メガネ装着者の眼球の輻輳は、水平面内にあるメガネ装着者の顔から、メガネ装着者が見ている物体の指向角度に関係なく決定することができる。次いで、このメガネの装着者によって観察される物体の距離の特性決定は、メガネ装着者の眼球の決定された輻輳からリアルタイムで推定することができる。
【００１５】
本発明では、照射線が反射される眼域の仰角に応じてそれぞれのレンズ内の照射線出力部の対を作ることによって、注視レベルと称される、垂直平面内のメガネ装着者の顔に相対的に注目されている物体の任意の指向角度に対してメガネ装着者の眼球の輻輳を決定することが可能になる。同じ眼域仰角に関連付けられている２つのレンズの経路を使用して、所定の瞬間におけるメガネ装着者の眼球の輻輳を決定する。
【００１６】
本発明のさまざまな実施形態において、以下の改良の一部を別々に、または組み合わせて使用することができる。
−計算ユニットは、測定された強度のうちの少なくとも幾つかに対する信号対雑音（ＳＮ）比の値に応じて、メガネ装着者の眼球の輻輳を特性決定するために眼域仰角のうちの１つを選択するように適合することができる。
−メガネは、それぞれのレンズに対する照射線入力部と同じ数の照射線出力部を備えることができ、前記出力部のそれぞれは、レンズにおいて前記入力部のうちの１つに隣接しており、別々の照射線の照射受光対を形成し、それぞれの照射受光対は、このレンズの背後に位置しているメガネ装着者の眼球の強膜と虹彩の間の境界の右および左側部分のうちの１つが眼球運動時に動き回るこれらの眼域のうちの１つの前に構成される。
−それぞれのレンズについて、照射線出力部は、このレンズの右および左側部分にそれぞれ位置している２つの列の形態で構成され、これらのレンズの右側部分に位置している列のそれぞれの出力部はこの眼球の強膜と虹彩の間の境界の右側部分が動き回る眼域内でメガネ装着者の眼球上の反射を含む照射線経路に属し、これらのレンズの左側部分に位置している列のそれぞれの出力部は眼球の強膜と虹彩の間の境界の左側部分が動き回る眼域内でメガネ装着者の眼球上の反射を含む照射線経路に属すものとすることができる。
−照射線源（複数可）、出力部（複数可）、入力部（複数可）、およびこれらのレンズのうちの少なくとも１つに関連付けられている検出器（複数可）は、異なる出力部を横断する少なくとも２つの異なる照射線経路がそれらの経路に共通の同じ入力部に入るように構成することができ、照射線経路に応じて照射線の一部を分離するための手段は、異なる経路によって送られる照射線に施される異なる変調による検出器（複数可）によってなされる測定を同期するように適合することができる。
【００１７】
本発明のメガネは、計算ユニットによって特徴付けられるメガネ装着者の眼球の輻輳に対する結果に応じて、これらのレンズのうちの少なくとも１つのレンズの特性を変化させるための手段をさらに備えることが可能である。特に、これらのレンズのうちの１つの特性を変化させるための手段は、このレンズ内に備えることができる。例えば、それぞれのレンズは、メガネ装着者の眼球の輻輳から推定される観察距離に合わせて調整可能である屈折力を持つ単焦点レンズとすることができる。したがって、老眼のメガネ装着者は、残余非点収差なしで、レンズの表面全体にわたるそれぞれの観察距離について調整された視力矯正を受けることができる。
【００１８】
本発明のメガネは、視力再教育セッション時に、視能訓練で使用することもできて都合がよい。このようなメガネにより、メガネを装着する患者に、より高度にカスタマイズされ、制御された再教育エクササイズを実施することができる。
本発明は、上述のようにメガネ内に組み付けられるように適合されたメガネレンズも提案する。このようなレンズは、
−少なくとも１つの照射線源であって、それぞれの照射線源がレンズ内に一体化され、照射線がこれらのレンズのメガネ装着者の眼球の強膜と虹彩によってその強膜と虹彩に対する異なる反射強度係数にそれぞれしたがって反射されるように選択される、赤外線照射であってもよい、少なくとも１つの照射線源と、
−この照射線の少なくとも１つの検出器であって、それぞれの検出器はレンズ内に一体化され、眼球の強膜と虹彩の間の境界の右または左側部分が眼球運動時に動き回る眼域内で眼球によって反射される、これらの照射線源のうちの１つが発生した照射線の一部の強度を測定するように構成されている、少なくとも１つの検出器と、
−レンズ内に一体化され、それぞれの検出器およびそれぞれの照射線源の端子を電気的に接続し、これらのレンズの周辺部内に放射状に構成されている、透明導電性ストリップと、
−上述のようにこのメガネレンズの装着者の眼球とともに照射線経路を形成するようにレンズ内に構成されている少なくとも４つの照射線出力または入力部とを備えている。
【００１９】
これらのレンズの周辺部内の導電性ストリップの放射状構成では、フレームによって支えられるレンズのストリップと他の電子コンポーネントとの間の電気的接続を確立するために、フレーム内の決められた場所に電気的接点を提供する。さらに、この放射状構成により、フレームの電気的接点を提供する可能性を保持しながらフレームのリムのどのような形状にも合わせてレンズをトリミングすることができる。
【００２０】
本発明の他の特徴および利点は、添付図面を参照しつつ幾つかの非限定的な例の以下の説明から明らかになるであろう。
【図面の簡単な説明】
【００２１】
【図１ａ】本発明の第１の実施形態によるメガネの使用を示している斜視図である。
【図１ｂ】本発明の第１の実施形態によるメガネの使用を示している平面図である。
【図２ａ】本発明の第１の実施形態を例示する拡大正面図である。
【図２ｂ】本発明の第１の実施形態を例示する拡大平面図である。
【図２ｃ】メガネを装着している人の眼球の２つの異なる位置に対する、図２ｂに対応する図である。
【図２ｄ】メガネを装着している人の眼球の別の２つの異なる位置に対する、図２ｂに対応する図である。
【図３】本発明の第２の実施形態に対する、図２ａに対応する図である。
【図４ａ】本発明の１つのレンズの平面図である。
【図４ｂ】本発明の１つのレンズの断面図である。
【図５】本発明の実施形態の２つの異なる種類のうちの一方を例示する図である。
【図６】本発明の実施形態の２つの異なる種類のうちの他方を例示する図である。
【図７ａ】本発明の第３の実施形態に対する、図２ａに対応する図である。
【図７ｂ】本発明の第３の実施形態に対する、図２ｂに対応する図である。
【図７ｃ】本発明の第３の実施形態に対する、図２ｃに対応する図である。
【図７ｄ】本発明の第３の実施形態に対する、図２ｄに対応する図である。
【図８】本発明の第４の実施形態に対する、図３に対応する図である。
【発明を実施するための形態】
【００２２】
わかりやすくするために、これらの図に表されている要素の寸法は、実際の寸法に比例しておらず、また実際の寸法の比にも比例していない。さらに、異なる図中の同一の符号の使用は、同一の要素または同一の機能を持つ要素を表す。
【００２３】
図１ａ、図１ｂにおいて、このメガネは、フレーム３と２つの眼科用レンズを備えており、右レンズと左レンズは１と２で表されている。フレーム３は、レンズ１、２を相対的固定位置に保持し、これにより、連続する使用期間中に一定のままである方式でメガネ装着者の眼球の前にそれらのレンズを置くことが可能となる。レンズ１、２は、メガネ技師に知られている組み付け方法の１つの方法で、フレーム３に永久的に組み付けることができる。あるいは、フレーム３を備えた当初のメガネに、本発明によるレンズ１、２を追加してもよい。当初のメガネは、太陽光保護および／または眼球矯正機能を備えていてもよい。この場合、例えばクリップ式構造を利用して取外し可能にレンズ１、２を当初のメガネに設けてもよい。
【００２４】
符号１００、２００はメガネ装着者の眼球を表しており、１００が右目を示し、２００が左目を示している。メガネ装着者の眼球１００、２００のそれぞれに関し、符号Ｓ、Ｉ、Ｐ、Ｌ、Ｒは、眼球の強膜、虹彩、瞳孔、縁部、回転中心を表している。虹彩Ｉは、瞳孔Ｐのサイズを決定する可変の内径および一定である外径を有する円環であることが知られている。縁部Ｌは、虹彩と強膜Ｓとの間の虹彩Ｌの外側境界である。縁部Ｌは、眼球が回転中心Ｒの周りに回転しているときに、対応の眼球に固定の一定サイズの円である。視覚的には、縁部Ｌは、白色の強膜Ｓと色付きの虹彩Ｉとの間の円形の境界である。
【００２５】
各眼球１００、２００に関し、回転中心Ｒと対応の瞳孔Ｐの中心Ａとを通る軸Ｄ１、Ｄ２は各眼球の光軸である。瞳孔Ｐの中心Ａは水晶体の頂点でもある。光軸Ｄ１、Ｄ２は、各眼球１００、２００に固定されており、縁部Ｌとともに回転する。眼球１００、２００の光軸Ｄ１、Ｄ２は輻輳点Ｃ（図１ｂ）で輻輳し、これは、所定の瞬間にメガネ装着者が見ている物体の場所である。光軸Ｄ１とＤ２との平均方向Ｄ０は、その瞬間におけるメガネ装着者の注視方向である。注視方向Ｄ０は、通常、両眼の回転中心Ｒの間の線分の中点と輻輳点Ｃとを接続する。図１ｂにおいて、回転中心Ｒに対する輻輳点Ｃの距離である観察距離がＤで表されている。
【００２６】
具体的な実施形態において説明される本発明により、メガネ装着者の顔に対する輻輳点Ｃの位置を決定することができる。これらの実施形態では、対応のレンズ１、２に対する各眼球１００、２００の回転位置を検出することによって、点Ｃの位置が決定される。本発明の各レンズ１、２は、したがって、対応の眼球１００、２００の光軸Ｄ１、Ｄ２の角度位置を決定することを可能とする。そして、２つの光軸Ｄ１、Ｄ２の各位置から、輻輳点Ｃが（必要ならば観察距離Ｄとともに）推定される。
【００２７】
各眼球の光軸位置を定義するために、２つの角度α、βが使用されており、それぞれ仰角および偏心度と称される。仰角αは、通常、両眼１００、２００で同一であって、各光軸Ｄ１、Ｄ２と、メガネ装着者の頭部が垂直であるときに水平な基準平面とがなす角度である。各眼球の光軸Ｄ１、Ｄ２の偏心度βは、軸と、メガネ装着者の頭部が垂直であるときに垂直な顔の正中面とがなす角度である。偏心度βは、同時に、通常、ぞれぞれの眼に関して個別の値を有しており、その２つの値の差が眼球の輻輳（観察距離Ｄを意味する）を決定する。
【００２８】
各眼球１００、２００の光軸Ｄ１、Ｄ２の偏心度は、実際には、その眼球の縁部Ｌの位置に基づいて決定される。具体的には、眼球の右および左側横領域において、その眼球で反射した照射線の強度を測定することによって、縁部Ｌの右側端部および左側端部の各位置が決定される。これを行うために、各レンズには、出力部と称される照射線照射部が設けられており、これは、眼球が回転するときに縁部の右および左側部分が動き回る眼球の横領域に向けて１または複数の照射線ビームを照射する。また、入力部と称される集光部も設けられており、これは、眼球の横領域内で反射した照射線の一部を集光する。出力部には少なくとも１つの照射線源によって照射線が供給され、また、入力部は、該入力部によって集光された照射線の各部分の強度を測定するために少なくとも１つの検出器に光学的に接続されている。
【００２９】
図２ａ〜図２ｄの右レンズ１において、第１の照射受光対は出力部１０と入力部１１とからなる。各部１０、１１は例えば水平方向に隣接しそれらの間隔は０．１ｍｍ〜３ｍｍの間であってもよい。第２の照射受光対は、別の出力部１２と入力部１３とからなる。対１０／１１および１２／１３は、作りが同一であるものとしてよい。これらは、仰角αが等しい値（α１で表されている）でレンズ１内に位置している。これらは、異なった偏心度値βのところに位置決めされている、つまり、照射受光対１０／１１が縁部Ｌの右側部分が動き回る眼球右横領域ＺＤ１に面するように位置決めされ、照射受光対１２／１３が縁部Ｌの左側部分が動き回る眼球左横領域ＺＧ１に面するように位置決めされている。それぞれの照射受光対は、図２ｂ〜図２ｄに示される、対応の出力部１０、１２から対応の入力部１１、１３への照射線経路（照射線が反射される対応する領域ＺＤ１、ＺＧ１内の点を含む）を規定する。本発明の実施形態では、眼球の回転位置を決定するために使用される別々の照射線経路が、照射線出力部および入力部がレンズ内に構成されるという方式で分離されている。
【００３０】
図２ｂ、２ｃ、２ｄは、それぞれ、右眼球１００の回転位置を表しており、そこでは、光軸Ｄ１は偏心度値βに対応しており、それは、ゼロか（図２ｂ）、マイナスもしくは側頭側（図２ｃ）に向けられ、または、プラスもしくは鼻側（図２ｄ）に向けられる。使用される照射線の波長が９００ｎｍ〜１２００ｎｍの場合、虹彩からの低い反射強度と強膜からのより高い反射強度との間の差によって眼球１００の位置の検出が可能となる。横領域ＺＤ１、ＺＧ１内で照射受光対１０／１１、対１２／１３によって検出される反射は、図２ｂの場合には実質的に同一である強度を有し、図２ｃの場合には対１０／１１の強度は１２／１３のものよりも小さく、図２ｄの場合には大きい。光軸Ｄ１の偏心度βが連続的に変化する場合、入力部１１、１３に到達する照射線の一部に関して測定される強度も反対方向に連続的に変化する。したがって、照射受光対１０／１１および１２／１３によって、メガネ装着者の頭部が垂直であるときに水平面内で眼球１００の光軸Ｄ１の角度位置を決定することができる。
【００３１】
メガネ装着者はコンタクトレンズを装着することができ、このコンタクトレンズは、各眼球に対する位置検出の感度を改良する。そのようなコンタクトレンズは、その眼球のどのような回転位置に対しても中心を光軸上に置いたまま、対応する眼球の虹彩を覆うことができる。虹彩と強膜との間の反射コントラストを高めるように、虹彩の見かけの反射率の値を適合させる設計としてもよい。
【００３２】
計算ユニットが、メガネに関連付けられている。これは、例えばフレーム３のアームの一部に組み込まれていてもよい。このような計算ユニットは次のように適合されている：照射線の反射部分の測定強度から光軸Ｄ１の角度位置を決定する。光軸Ｄ１の角度位置の決定は計算によって行うことができる。あるいは、計算ユニットは、この位置を示す格納されているテーブルから読み取ることによって光軸Ｄ１の角度位置を、異なる照射線経路について測定されこのテーブルへの入力として使用される強度値に応じて、決定することができる。
【００３３】
左レンズ２が右レンズ１の構成と類似の構成を有することが理解され、それは、メガネ装着者の顔の正中面に対して右レンズと対称的である。計算ユニットにより、右眼球１００の光軸Ｄ１に関する位置が決定されるのと同時に、メガネ装着者の左眼球２００の光軸Ｄ２の角度位置を決定することが可能である。次いで、観察距離Ｄが得られ、場合によっては両眼の輻輳中心Ｃの位置および／または注視方向Ｄ０も得られる。
【００３４】
説明したように、計算ユニットは次のように適合可能である：その眼球の前に位置しているレンズに関して、および、眼球の強膜と虹彩の間の境界の右および左側部分が動き回る眼域の一部で反射した照射線の一部に関して、同時に測定された強度に基づいて、各眼球の光軸の角度位置を先ず決定する。計算ユニットは、また、同じ瞬間的な時点について決定された両眼の光軸の各角度位置に基づいて、メガネ装着者の眼球の輻輳を決定するようにも適合されている。ただし、計算ユニットの２つの連続するステップにおけるそのような動作は不可欠ではない。メガネ装着者の眼球の輻輳（場合によっては方向Ｄ０の角度位置および観察距離Ｄとともに）が、縁部Ｌの対応する右および左側部分が動き回る両眼の横領域内で反射した照射線の一部について同時に測定される強度の適切な組み合わせ（複数可）に基づいて単一のステップで推定されてもよい。
【００３５】
各レンズは、また、照射線経路の少なくとも２つの対を決定するように構成されており、これらの経路は横領域内のメガネ装着者の眼球上の反射を含んでおり、その横領域は、同じ第１の対の経路については同じ第１の仰角α１に、また同じ第２の対の経路については同じ第２の仰角α２に位置している。図２ａ〜２ｄは、他方の経路の照射受光対から隔てられている照射受光対によって各経路が決定される場合の、そのような改良された実施形態を例示している。出力部１０は入力部１１とともに、出力部１２は入力部１３とともに、仰角の値α１に位置している照射線経路の第１の対を決定する。同様に、出力部２０は入力部２１とともに、出力部２２は入力部２３とともに、仰角の値α２に位置している照射線経路の第２の対を決定する。照射受光対２０／２１は補助的光路を決定し、この光路は、領域ＺＤ１の下の仰角α２で眼球の右横領域ＺＤ２に位置している眼球１００上の反射点を含んでいる。同様に、照射受光対２２／２３は別の補助的光路を決定し、この光路は、領域ＺＧ１の下の仰角α２で眼球の左横領域ＺＧ２に位置している眼球１００上の反射点を含んでいる。この場合、照射線経路の２つの対に関連付けられている眼域の仰角は、その絶対値で１０°〜４５°の間の差を有するものとしてよい。これらの仰角の値のうちの１つ、例えばα１は、メガネ装着者の眼球レベルに実質的に置かれている物体を見ることに対応することができる。他方の仰角の値α２は、メガネ装着者の視野の下側部分に置かれている物体を見ることに対応するものとしてよい。計算ユニットは、また、メガネ装着者の眼球の輻輳を特性決定するために眼域仰角の値のうちの１つを選択するように適合されてもよい。このような選択は、特に、測定される強度のうちの少なくとも幾つかに対する信号対雑音比の値に応じて行うことができる。このような方式においては、メガネ装着者の瞼を下げることによって遮蔽可能な照射線経路はメガネ装着者の眼球の輻輳を決定する際に考慮されない。
【００３６】
図３は、本発明の改良を例示しており、ここでは、これらの仰角の値のうちの１つに対応する照射受光対が、他方の仰角の値に対応する照射受光対に対して横方向にオフセットしている。仰角α２の眼球上の反射を定める照射受光対２０／２１、２２／２３は、仰角α１で眼球上の反射を定める照射受光対１０／１１、１２／１３に対して距離ｅだけ鼻側の方へオフセットしている。レンズ１、２が一般にプログレッシブレンズと称される屈折力が漸進的に加わるレンズの場合、仰角の値α１およびα２は、近見および遠見の方向に対して各レンズにおける仰角にそれぞれ対応することができる。オフセットｅは、近見の状態と遠見の状態との間の眼球の可変輻輳から結果として生じ、インセットと一般に称される、オフセットに実質的に等しいものであってもよい。この場合、オフセットｅは４ｍｍ〜６．５ｍｍの間とすることができる。より一般的にはこれは０ｍｍ〜７ｍｍの間とすることができる。
【００３７】
本発明の第１種類の実施形態では、各照射線源は、９００ｎｍ〜１２００ｎｍの間の波長で動作する発光ダイオードとすることができる。この場合、それぞれの照射線出力部は、このダイオードの発光面の一部に対応する。あるいは、それぞれの照射線源は、ＶＣＳＥＬ（垂直共振面発光レーザー）源とすることができる。
【００３８】
並行して、各検出器は、フォトダイオードまたはフォトトランジスタとすることができる。次いで、それぞれの照射線入力部は、フォトダイオードまたはフォトトランジスタの表面の感光部分に対応する。
【００３９】
特に有利な組み合わせでは、それぞれの照射線源およびそれぞれの検出器は、それぞれのレンズ内に一体化された、半導体材料に基づくマイクロオプトエレクトロニクス部品である。この方式では、それぞれのレンズは、非常に安い可能性がある生産およびフレーム組み付けコストで本発明を実装するように適合された独立の要素である。この場合、それぞれのレンズは、各照射線源の端子と各検出器の端子とを電気的に接続する透明導電性ストリップをさらに備えている。これらのストリップは、照射線源および検出器をメガネレンズの外部に存在しうる計算ユニットに接続する。好ましくは、導電性ストリップは、レンズの周辺部内に放射状に構成される。ストリップのこのような構成により、レンズをフレーム３のリムの形状に合わせてトリミングすることができ、トリミングされたエッジのところに導電性ストリップのそれぞれが現れる場所を容易に識別できる。例えば、導電性ストリップは、レンズの周辺部内の分離している角度セクタを占有する。図４ａ、図４ｂに示されているように、各レンズ１、２は、基部５０および封入部５１を備えることができ、これらは一体に取り付けられ、基部５０と封入部５１の間に、各照射線源、検出器、および導電性ストリップを配置することができる。例えば、ストリップ４０は、レンズのすべての照射線源および検出器によって共有されるグランド端子を構成してもよく、ストリップ４１〜４８は、それぞれ、各照射線源１０、１２、２０、２２の別の端子および各検出器１１、１３、２１、２３の別の端子を接続する。これらのストリップ、照射線源、および検出器は、基部５０上に形成され、封入部５１への機械的結合を固定する接着剤５２の透明層内にコーティングされうる。照射線源および検出器は、メガネ装着者の視覚に干渉しないように、また見えないように、非常に小さな寸法にすることが有利である。さらに、ストリップ４０〜４８は、透明で、かつ導電性の、スズドープ酸化インジウムまたはＩＴＯ（インジウムスズ酸化物）などの、任意の材料からなるものとしてよい。あるいは、それぞれのストリップ４０〜４８は、レンズの周辺部内に放射状に構成された、非常に細い導線で置き換えることもできる。図４ａにおいて、Ｃは例として示されているトリム線を表している。トリム線Ｃは、放射状構成部分内のストリップ４０〜４８のそれぞれを切り開いている。
【００４０】
本発明の第２種類の実施形態では、対応するレンズの外部に各照射線源を配置することができ、第１の光学ガイド（例えば光ファイバー）によって出力部のうちの１つに光学的に結合することができる。同様に、各照射線検出器もそれらのレンズの外部に配置することができ、また第１の光学ガイドのうちの１つから分離されているかまたは組み合わせることが可能な第２の光学ガイドによって、照射線入力部のうちの１つに光学的に結合することができる。具体的なレンズ製造方法では、第１または第２の光学ガイドのそれぞれを、レンズを形成する材料が金型内に導入される前に射出成形金型に入れることによって成形時にレンズ内に組み込むことができる。それぞれの照射線出力または入力部がレンズに一体化されたマイクロプリズムを有することが可能であり、このマイクロプリズムは照射線が眼球の横領域に向かって照射される方向、または照射線の反射された部分が集光される方向を決定する。言い換えると、それぞれの照射線出力または入力部は、光学ガイドの端部に位置しているマイクロプリズムの面によって形成されるということである。図５では、符号５０〜５３および符号６０〜６３が、出力部、入力部１０〜１３、２０〜２３をそれぞれ接続する光ファイバを表している。導電性ストリップに関する上と同じ理由から、光ファイバ５０〜５３、６０〜６３は、好ましくはレンズ２内に放射状に構成され、したがってトリム線Ｃにおける位置は容易に決定される。
【００４１】
本発明の第３種類の実施形態では、メガネは、さらに、それぞれのレンズに対する光学ガイドを備え、これはこのレンズの外部に眼球の一部の像を形成されうる。図６では、符号７０はそのような光学ガイドを表しており、その実施形態は当業者に知られているでであろうから本明細書では説明しない。有利な構成において、レンズの使い勝手と見栄えが低下するのを避けるため、光学ガイド７０は、フレーム３のアームのところの、レンズの側頭側エッジからレンズ１を貫通している。また光学ガイドは、レンズの外部の照射線源から照射線を発して眼球の像を検出するのに十分な光量をもたらすことも可能である。次いで、光学ガイド７０の少なくとも４つのゾーン（照射線出力部を形成する）を通じて、照射線源から照射線を送出する。有利には、眼球に面した位置にある光学ガイド７０の活性面は出力部どうしの間で連続的である。次いで、検出器を、眼球の強膜と虹彩の間の境界の右および左側部分が眼球運動時に動き回る、光学ガイドによって撮像される、眼球の像の領域内に分布する。
【００４２】
図７ａ〜図７ｄは、本発明のレンズの別の実施形態を例示しており、眼球の横領域ＺＤ１、ＺＤ２、ＺＧ１、ＺＧ２の各反射点を含む幾つかの光路は、同じ照射線入力部を共有している。これらの図では、符号３０、３２はレンズ内の同じ第１の仰角に位置している照射線出力部を表し、符号４０、４２はレンズ内の同じ第２の仰角に位置している照射線出力部を表し、符号３１はこれら４つの出力部に共通の入力部を表す。第１の照射線経路は、出力部３０から出て、縁部Ｌの右上側部分が動き回る横眼域ＺＤ１内の反射を含み、入力部３１に到達する。第２の照射線経路は、出力部３２から出て、縁部Ｌの左上側部分が動き回る横眼域ＺＧ１内の反射を含み、入力部３１に到達する。同様に、第３の照射線経路は、出力部４０から出て、縁部Ｌの右下側部分が動き回る横眼域ＺＤ２内の反射を含み、入力部３１に到達する。最後に、第４の照射線経路は、出力部４２から出て、縁部Ｌの左下側部分が動き回る横眼域ＺＧ２内の反射を含み、入力部３１に到達する。この場合、各出力部３０、３２、４０、４２には４つの別々の時間変調における照射線が供給されてもよく、入力部３１に光学的に接続されている検出器は同期検出を実行するように制御される。このような同期検出により、眼域のうちの１つを通る４つの経路のうちの１つを辿る照射線の一部を分離することができ、これら４つの経路は同じ入力部および同じ検出器を共有する。代わりに、他の手段を、これらの経路のうちの１つを辿る照射線の一部を分離するために使用することができる。例えば、異なる照射線波長または偏光をこれらの各経路に使用でき、共通入力部によって集光された各眼域からの照射線の一部を分離するためにフィルター処理を施す。
【００４３】
図７ｃ、図７ｄは、４つの照射線経路の反射を含む横眼域に対する眼球１００の縁部Ｌの異なる位置を示している。これらの４つの経路のうちの１つを辿る照射線の反射部分の強度は、図２ｃ、図２ｄについて上で説明されているのと同様にして変化する。
【００４４】
本発明のレンズのさらに別の実施形態では、眼球の横領域内の各反射点を含む幾つかの経路は、同じ照射線出力部を共有し、場合によっては同じ照射線源を有することができる。次いで、これらは、異なっている照射線入力部に到達する。このような実施形態は、上記から簡単に推定されうるため説明しない。
【００４５】
上述の最後２つの実施形態は、したがって、備えている部品数が少ないためメガネレンズの生産を簡素化する。
【００４６】
最後に、図８は、図２ａ〜図２ｄにおける実施形態から推定される本発明のさらに別の実施形態を例示している。これら２つの照射線出力部および２つの照射線入力部は、それぞれのメガネレンズの右側部分と左側部分とにおいて、出力部の各列および入力部の各列で置き換えられる。そのため、レンズ１の右側部分は、ｎを２より大きい自然数とする出力部１０１、．．．、１０ｎの列と、入力部１１１、．．．、１１ｎの列を含んでいる。これら２つの列は、メガネ装着者に対するレンズ１の利用位置に相対的に垂直であり、平行であり、好ましくは互いに近く、出力部および入力部は同一の仰角減分でレンズの底部に向かって徐々にオフセットしている。ただし、間隔を置いて対を組むことができるように、同じ列内のセクションが連続している必要はない。レンズ１の左側部分は、同じレンズ１の右側部分におけるものと類似しているものであってもよい出力部１２１、．．．、１２ｎの列および入力部１３１、．．．、１３ｎの列を含んでいる。レンズ２は、レンズ１の構造と対称的な構造を有する。出力部または入力部のこれらの列は、例えば赤外線発光ダイオードなどの照射線源の列によって、または例えばフォトダイオードもしくはフォトトランジスタなどの検出器の列によって直接的に形成することが可能である。
【００４７】
そのような照射線源の列または検出器の列の使用は、あまり電力を使用する必要なく、メガネ装着者の眼球の輻輳を特性決定するのに特に有利である。また、照射線源、検出器、および計算ユニットに電力を供給するエネルギー源は容量を減らしたものであってもよい。実際、同じ眼域の仰角で眼球上の反射を有する照射線経路に対応する照射線源および検出器を、以下の方策のうちの１つの方策にしたがって選択することができ、他の照射線源および検出器は作動されない。
【００４８】
（ｉ）照射線源および検出器を、所定のスキャン順序で、順次作動させることができる。
（ｉｉ）眼球から反射した照射線の強度を測定する新しい順序に対して作動される照射線源および検出器を、前の測定順序で得られた信号対雑音比の少なくとも１つの値に応じて選択することができる。
（ｉｉｉ）これらは、前の特性決定においてすでに選択されている仰角に応じて、メガネ装着者の注視の輻輳を再特性決定するのに最も好適な眼球からの反射の仰角に関する予測アルゴリズムに応じて選択することができる。この方策では、注視方向のすでに決定されている仰角を考慮することができ、
（ｉｖ）上記の方策（ｉ）から（ｉｉｉ）の選択基準を組み合わせた複合方策。
【００４９】
これらの方策は、メガネ装着者の瞼の運動が本発明によるメガネ装着者の注視の輻輳の特性決定に干渉することを防ぐのに特に適している。
【００５０】
当業者であれば、本発明が図に関して説明されている特定の実施形態に限定されないことを理解するであろう。特に、リストに挙げられている本発明の異なる種類の実施形態を、さまざまな方式で、照射線経路に対する異なる位置およびルートと組み合わせることができ、これらの経路は縁部の右および左側部分が動き回る眼球の横領域内の各反射点を含む。さらに、それぞれのレンズ内の照射線出力および入力部の位置は、眼球の可変領域内に配置されている反射点を含む照射線経路を形成するように、自由に修正することができる。照射線がレンズを通る同じセクションが、照射線出力部であると同時に照射線入力部であることも可能である。この場合、このセクションは、対応する眼域内の眼球の表面に垂直な方向に実質的に位置している。
【００５１】
特に、同じ照射受光対の一部である出力部および入力部が互いに隣接している一実施形態では、出力部および入力部の相対的位置は、眼球上の同じ場所のままになる対応の照射線経路の反射点を維持しつつ修正することができる。特に、出力部および入力部の位置は入れ換えることができる。
【００５２】
次いで、眼球の輻輳の決定の信頼性を高め、および／またはメガネを装着している人の快適さおよび／または安全性を改良する、本発明のさまざまな改良について説明する。
【００５３】
これらの改良のうちの第１のものでは、メガネは、さらに、それぞれの照射線源によって発生する照射線を変調する手段と、それぞれの検出器によって発生する検出信号を処理する手段とを備えることができる。これらの手段は、照射線源の変調に基づいて、メガネ装着者の眼球から反射される照射線のそれぞれの部分の同期検出を実行するように適合されている。特に、そのような同期検出を用いることで、本発明で発生させる照射線と、背後環境の照射線とを区別することができる。特に、変調は、同期検出によって５０Ｈｚ（ヘルツ）の倍数である周波数の周囲照射線の寄与分が効果的に排除されるように選択することができる。このような寄与分は、放電照明システムによって一般にもたらされる。
【００５４】
第２の改良では、メガネは、それぞれの検出器が発生する測定信号をフィルター処理する手段をさらに備えることができる。この手段は、メガネ装着者の眼球の輻輳の不随意変動に対応する測定を削除するように適合されうる。メガネ装着者の眼球の輻輳の不随意変動は、一般的に、メガネ装着者が連続的に注目する物体の間の自発的変化の結果生じる変動に比べてかなり速い。この方法では、メガネ装着者の眼球の輻輳の決定は、メガネ装着者が認識する視覚的注意の変化に制限されうる。そのため、本発明が、レンズの可変特性を制御するために使用される場合、この特性は、メガネ装着者の視覚的注意に関して有用である測定においてのみ修正される。
【００５５】
最後に、第３の改良では、メガネは、２％〜５０％の間、好ましくは１０％未満のデューティサイクルによりこの照射線源の間欠的動作を作動させるように適合された各照射線源を制御する手段を備えることもできる。このデューティサイクルの値は、眼球に向けて照射される照射線の量の制限および本発明のメガネレンズによって消費される電力の制限を含む、幾つかの異なる基準に基づいて選択されうる。実際、このようなレンズは、好ましくは、フレーム内に収納された電池から電力の供給を受ける。また、照射線源は、固定された期間で隔てられたメガネ装着者の眼球の輻輳の２つの連続する決定を実行するように作動させることができる。このような待機期間は、一般的に、照射線源の動作のデューティサイクルと無関係である。特に、これは、検出器が発生する測定信号から眼球の輻輳を決定するために計算ユニットに必要な時間に応じて決定されうる。
【図１ａ】
0005433076.tif 000002
【図１ｂ】
0005433076.tif 000003
【図２ａ】
0005433076.tif 000004
【図２ｂ】
0005433076.tif 000005
【図２ｃ】
0005433076.tif 000006
【図２ｄ】
0005433076.tif 000007
【図３】
0005433076.tif 000008
【図４ａ】
0005433076.tif 000009
【図４ｂ】
0005433076.tif 000010
【図５】
0005433076.tif 000011
【図６】
0005433076.tif 000012
【図７ａ】
0005433076.tif 000013
【図７ｂ】
0005433076.tif 000014
【図７ｃ】
0005433076.tif 000015
【図７ｄ】
0005433076.tif 000016
【図８】
0005433076.tif 000017